(57)【要約】【課題】画像中の主要な部分の投影を維持しながら、同時に書込み用の範囲も確保する。【解決手段】入力される画像信号に対応した光像を形成し、形成した光像を対象に向けて投影する投影系１4〜25と、投影系１4〜25で投影する光像中の範囲を指定する操作部30と、操作部30で指定した範囲に従い、投影系１4〜25が投影する光像の範囲を削除させる制御系27〜29とを備える。【選択図】      図１
2011160430.tif 000002
【特許請求の範囲】
【請求項１】
入力される画像信号に対応した光像を形成し、形成した光像を対象に向けて投影する投影手段と、
上記投影手段で投影する光像中の範囲を指定する指定手段と、
上記指定手段で指定した範囲に従い、上記投影手段が投影する光像の範囲を制限させる投影制御手段と
を具備したことを特徴とする投影装置。
【請求項２】
上記指定手段は、予め複数用意された光像中の範囲の中から１つを指定することを特徴とする請求項１記載の投影装置。
【請求項３】
上記指定手段は、上記投影手段で投影する光像中の任意の矩形範囲を少なくとも一組の対角位置により指定することを特徴とする請求項１記載の投影装置。
【請求項４】
上記指定手段は、上記投影手段で投影する光像中の任意の矩形範囲をカーソルキーの操作による上下左右ポインタの位置で指定することを特徴とする請求項１記載の投影装置。
【請求項５】
上記指定手段で指定した範囲に対応する投影色を選択する選択手段をさらに具備し、
上記投影制御手段は、上記光像中で制限した範囲を上記選択手段で選択した投影色で投影させることを特徴とする請求項１記載の投影装置。
【請求項６】
上記指定手段は、所定の操作毎に光像中の指定する範囲を順次移動することを特徴とする請求項１記載の投影装置。
【請求項７】
上記指定手段は、所定の操作毎に光像中の指定する範囲を拡大することを特徴とする請求項１記載の投影装置。
【請求項８】
上記指定手段は、所定の操作毎に光像中の指定する範囲を縮小することを特徴とする請求項１記載の投影装置。
【請求項９】
入力される画像信号に対応した光像を形成し、形成した光像を対象に向けて投影する投影部を備えた装置での投影方法であって、
上記投影部で投影する光像中の範囲を指定する指定工程と、
上記指定工程で指定した範囲に従い、上記投影部が投影する光像の範囲を制限させる投影制御工程と
を有したことを特徴とする投影方法。
【請求項１０】
入力される画像信号に対応した光像を形成し、形成した光像を対象に向けて投影する投影部を備えた装置が内蔵するコンピュータが実行するプログラムであって、
上記投影部で投影する光像中の範囲を指定する指定ステップと、
上記指定ステップで指定した範囲に従い、上記投影部が投影する光像の範囲を制限させる投影制御ステップと
をコンピュータに実行させることを特徴とするプログラム。
【発明の詳細な説明】
【技術分野】
【０００１】
本発明は、特にプレゼンテーションに使用するプロジェクタ装置等に好適な投影装置、投影方法及びプログラムに関する。
【背景技術】
【０００２】
従来、投影動作中に光源ランプの点灯自体は停止することなく、ランプの出力輝度を調整しながら一時的に投影画像のミュートを行なう機能についての技術が考えられている。（例えば、特許文献１）
【先行技術文献】
【特許文献】
【０００３】
【特許文献１】特開２００３−２８００８７号公報
【発明の概要】
【発明が解決しようとする課題】
【０００４】
上記特許文献１に記載された技術は、光源ランプとして使用する超高圧水銀灯の始動特性、すなわち一旦消灯してしまうと次に再度点灯できるまでに時間を要する点を考慮してなされた技術である。
【０００５】
そのため、画像の表示と非表示の２つの状態に応じて光源ランプの出力輝度の調整を行なうものとしており、当然ながら画像ミュート時には非表示状態として投影画像全体の表示が停止される。
【０００６】
ところで、近時のパーソナルコンピュータ（以下「ＰＣ」と称する）の普及に伴い、ＰＣとプロジェクタ装置とを接続してプレゼンテーションを行なうことが一般的になっている。この種のプレゼンテーションでは、専用のスクリーンではなく、例えばホワイトボードをスクリーンとして画像の投影を行なう可能性が高く、その場合に同ホワイトボードはスクリーンとして機能する一方で、プレゼンテーション内容に関連した疑問や示唆、ポイント、等の各種情報をマーカーペンにより書込むホワイトボード本来の機能も果たすことになる。
【０００７】
しかるにホワイトボードをスクリーンとして使用し、且つホワイトボードの面積が小さくて投影範囲だけでその大部分を占めるような場合には、上記書込みを行なうスペースがないため、投影範囲内に書込みを行なうしかないが、当然ながら書込んだものと投影内容とが重複するので、非常に読み難いものとなる。
【０００８】
本発明は上記のような実情に鑑みてなされたもので、その目的とするところは、画像中の主要な部分の投影を維持しながら、同時に書込みに適した範囲も確保することが可能な投影装置、投影方法及びプログラムを提供することにある。
【課題を解決するための手段】
【０００９】
請求項１記載の発明は、入力される画像信号に対応した光像を形成し、形成した光像を対象に向けて投影する投影手段と、上記投影手段で投影する光像中の範囲を指定する指定手段と、上記指定手段で指定した範囲に従い、上記投影手段が投影する光像の範囲を制限させる投影制御手段とを具備したことを特徴とする。
【００１０】
請求項２記載の発明は、上記請求項１記載の発明において、上記指定手段は、予め複数用意された光像中の範囲の中から１つを指定することを特徴とする。
【００１１】
請求項３記載の発明は、上記請求項１記載の発明において、上記指定手段は、上記投影手段で投影する光像中の任意の矩形範囲を少なくとも一組の対角位置により指定することを特徴とする。
【００１２】
請求項４記載の発明は、上記請求項１記載の発明において、上記指定手段は、上記投影手段で投影する光像中の任意の矩形範囲をカーソルキーの操作による上下左右ポインタの位置で指定することを特徴とする。
【００１３】
請求項５記載の発明は、上記請求項１記載の発明において、上記指定手段で指定した範囲に対応する投影色を選択する選択手段をさらに具備し、上記投影制御手段は、上記光像中で制限した範囲を上記選択手段で選択した投影色で投影させることを特徴とする。
【００１４】
請求項６記載の発明は、上記請求項１記載の発明において、上記指定手段は、所定の操作毎に光像中の指定する範囲を順次移動することを特徴とする。
【００１５】
請求項７記載の発明は、上記請求項１記載の発明において、上記指定手段は、所定の操作毎に光像中の指定する範囲を拡大することを特徴とする。
【００１６】
請求項８記載の発明は、上記請求項１記載の発明において、上記指定手段は、所定の操作毎に光像中の指定する範囲を縮小することを特徴とする。
【００１７】
請求項９記載の発明は、入力される画像信号に対応した光像を形成し、形成した光像を対象に向けて投影する投影部を備えた装置での投影方法であって、上記投影部で投影する光像中の範囲を指定する指定工程と、上記指定工程で指定した範囲に従い、上記投影部が投影する光像の範囲を制限させる投影制御工程とを有したことを特徴とする。
【００１８】
請求項１０記載の発明は、入力される画像信号に対応した光像を形成し、形成した光像を対象に向けて投影する投影部を備えた装置が内蔵するコンピュータが実行するプログラムであって、上記投影部で投影する光像中の範囲を指定する指定ステップと、上記指定ステップで指定した範囲に従い、上記投影部が投影する光像の範囲を制限させる投影制御ステップとをコンピュータに実行させることを特徴とする。
【発明の効果】
【００１９】
本発明によれば、画像中の主要な部分の投影を維持しながら、同時に書込みに適した範囲も確保することが可能となる。
【図面の簡単な説明】
【００２０】
【図１】本発明の第１の実施形態に係るデータプロジェクタ装置の概略機能構成を示すブロック図。
【図２】同実施形態に係る投影動作と画像ミュートの設定及び実行に関する処理内容を示すフローチャート。
【図３】同実施形態に係るサブメニュー「画像設定」下の項目中で画像ミュートを選択している投影画面を例示する図。
【図４】同実施形態に係る画像ミュートの具体例を示す図。
【図５】同実施形態に係る画像ミュートの具体例を示す図。
【図６】本発明の第２の実施形態に係るデータプロジェクタ装置での投影動作と画像ミュートの設定及び実行に関する処理内容を示すフローチャート。
【図７】同実施形態に係るサブメニュー「画像設定」下の項目中で画像ミュートを選択している投影画面を例示する図。
【図８】同実施形態に係る画像ミュートの具体例を示す図。
【図９】同実施形態に係る画像ミュートの具体例を示す図。
【発明を実施するための形態】
【００２１】
（第１の実施形態）
以下本発明をＤＬＰ（Ｄｉｇｉｔａｌ Ｌｉｇｈｔ Ｐｒｏｃｅｓｓｉｎｇ）（登録商標）方式のデータプロジェクタ装置に適用した場合の第１の実施形態について図面を参照して説明する。
【００２２】
図１は、本実施形態に係るデータプロジェクタ装置１０の概略機能構成について示す図である。同図で、１１は入力コネクタ部であり、例えばピンジャック（ＲＣＡ）タイプのビデオ入力端子、及びＲＧＢ入力端子からなる。
【００２３】
入力コネクタ部１１より入力される各種規格の画像信号は、入力インタフェース（Ｉ／Ｆ）１２、システムバスＳＢを介し、スケーラとも称される画像変換部１３で投影に適した所定のフォーマットの画像信号に統一された後に、投影画像処理部１４へ送られる。
【００２４】
この際、ＯＳＤ（Ｏｎ Ｓｃｒｅｅｎ Ｄｉｓｐｌａｙ）用の各種キャラクタやポインタ、さらには後述する時間情報に応じたフレーム画像等も必要に応じて画像信号に重畳加工するべく投影画像処理部１４へ送られる。
【００２５】
投影画像処理部１４は、送られてきた画像信号をビデオＲＡＭ１５に展開して記憶させた上で、このビデオＲＡＭ１５の記憶内容からビデオ信号を生成する。投影画像処理部１４は、このビデオ信号のフレームレート、例えば６０［フレーム／秒］と色成分の分割数、及び表示階調数を乗算した、より高速な時分割駆動により、空間的光変調素子（ＳＯＭ）であるマイクロミラー素子１６を表示駆動する。
【００２６】
一方、リフレクタ１７内に配置された、例えば超高圧水銀灯を用いた光源ランプ１８が高輝度の白色光を出射する。光源ランプ１８の出射した白色光は、マイクロミラー素子１６での表示に同期して高速回転するカラーホイール１９を介して時分割で原色に着色され、インテグレータ２０で輝度分布が均一な光束とされた後にミラー２１で全反射して上記マイクロミラー素子１６に照射される。
【００２７】
そして、マイクロミラー素子１６での反射光で光像が形成され、形成された光像が光学レンズユニット２２を介して、投影対象となるここでは図示しないスクリーンに投影表示される。
【００２８】
光学レンズユニット２２は、マイクロミラー素子１６で形成された光像を拡大してスクリーン等の対象に投影するものであり、合焦位置及びズーム位置（投影画角）を任意に可変できるものとする。
【００２９】
すなわち、光学レンズユニット２２中の図示しないフォーカスレンズ及びズームレンズは共に光軸方向に沿って前後に移動することで制御されるもので、それらレンズはステッピングモータ（Ｍ）２３の回動駆動により移動する。
【００３０】
また、上記光源ランプ１８の点灯駆動、上記カラーホイール１９用のモータ（Ｍ）２４の回転駆動、及び上記ステッピングモータ２３の回動駆動をいずれも投影光処理部２５が実行する。
【００３１】
加えてこの投影光処理部２５は、リフレクタ１７に取付けられて光源ランプ１８の温度を検出する温度センサ２６からの温度データを入力する。
【００３２】
上記各回路の動作すべてをＣＰＵ２７が制御する。このＣＰＵ２７は、ＤＲＡＭで構成されたメインメモリ２８、動作プログラムや各種定型データ等を記憶した電気的書換可能な不揮発性メモリでなるプログラムメモリ２９を用いてこのデータプロジェクタ装置１０内の制御動作を実行する。
【００３３】
上記ＣＰＵ２７は、操作部３０からの操作信号に応じて各種投影動作を実行する。この操作部３０は、データプロジェクタ装置１０の筐体本体に設けられたキー操作部と、このデータプロジェクタ装置１０専用の図示しないリモートコントローラからの赤外線変調信号を受信する赤外線受信部とを含み、ユーザが直接または該リモートコントローラを介して操作したキーに基づくキーコード信号をＣＰＵ２７へ直接出力する。
【００３４】
上述したキー操作部、及びリモートコントローラには、例えば電源キー、「Ｍｅｎｕ」キー、カーソルキー（上下左右の各方向キー）、「Ｅｎｔ」キー、「Ｅｓｃ」キー、画像ミュートキー等の操作キーが双方に共通で備えられる。
【００３５】
上記ＣＰＵ２７はさらに、上記システムバスＳＢを介してＵＳＢインタフェース（Ｉ／Ｆ）３１、画像記憶部３２、及び音声処理部３３と接続される。
【００３６】
ＵＳＢインタフェース３１は、ＵＳＢ端子３４を介して外部接続される機器との間でのデータの入出力制御を行なう。ＵＳＢ端子３４にＵＳＢメモリ３５を接続した場合、当該ＵＳＢメモリ３５に所定のファイル形式、例えば静止画であればＪＰＥＧ（Ｊｏｉｎｔ  Ｐｈｏｔｏｇｒａｐｈｉｃ  Ｅｘｐｅｒｔｓ  Ｇｒｏｕｐ）ファイル、あるいはＢＭＰ（ビットマップ）ファイル、動画であればＡＶＩ（Ａｕｄｉｏ−Ｖｉｄｅｏ  Ｉｎｔｅｒｌｅａｖｅｄ）（ＭＰＥＧ−４／Ｍｏｔｉｏｎ  ＪＰＥＧ）ファイルの画像データが記憶されていれば、それを読出して投影のために上記画像変換部１３へ送出することが可能であるものとする。
【００３７】
画像記憶部３２は、ＣＰＵ２７の制御の下に上記入力コネクタ部１１またはＵＳＢメモリ３５から入力した画像データを定数フレーム分記憶する。
【００３８】
音声処理部３３は、ＰＣＭ音源等の音源回路を備え、投影動作時に与えられる音声データをアナログ化し、スピーカ部３６を駆動して拡声放音させ、あるいは必要によりビープ音等を発生させる。
【００３９】
次に上記実施形態の動作について説明する。
図２は、主として投影動作時に平行して実施される画像ミュートの設定と実行とに係る処理内容について示したものであり、その処理に対する制御はすべてＣＰＵ２７がプログラムメモリ２９に記憶された動作プログラムを読出してメインメモリ２８に展開しながら実行する。
【００４０】
動作当初には、入力コネクタ部１１を介して入力される画像信号に応じてマイクロミラー素子１６で対応する光像を形成し、光学レンズユニット２２より図示しないスクリーンに向けて投影を行なう投影処理を実行する（ステップＳ１０１）。
【００４１】
それと共に操作部３０より「Ｍｅｎｕ」キーが操作されたか否か（ステップＳ１０２）、画像ミュートキーが操作されたか否かを続けて判断する（ステップＳ１０３）。
【００４２】
そして、それらのキー操作がなければ上記ステップＳ１０１に戻る、という処理を繰返し実行することで、入力画像に対応した投影動作を実行しながら、メニューキーか、画像ミュートキーが操作されるのを待機する。
【００４３】
「Ｍｅｎｕ」キーが操作された場合、上記ステップＳ１０２でそれを判断すると、その操作に応じて、それまでの入力される画像信号に応じた投影を一時的に停止し、代わってメインメニューを投影させるか、もしくは投影を継続しながら当画面の一部にメインメニューを重ね合わせて投影すると共に（ステップＳ１０４）、メインメニュー中のサブメニューとして「画面設定」が選択されるのを待機する（ステップＳ１０５）。
【００４４】
そして、サブメニューの「画面設定」が選択されるとそれを上記ステップＳ１０５で判断し、画面設定の項目を一覧投影する共に（ステップＳ１０６）、項目として「画像ミュート」が選択されるのを待機する（ステップＳ１０７）。
【００４５】
図３は、このときスクリーンとしてのホワイトボードＷＢ上に投影される、サブメニュー「画像設定」下の項目中で画像ミュートを選択している投影画面を例示する図である。
同図中、左上のウィンドウＷ１では、サブメニューとして「映像調整」「画面設定」「入力設定」「機器設定１」「機器設定２」「拡張設定」「情報」「全初期化」を列挙すると共に、その時点で「画面設定」が選択されていることを反転表示により示している。
【００４６】
これと対応して、残る画面の大部分をウィンドウＷ２として使用し、サブメニュー「画面設定」の内容を構成する全項目を一覧投影する。
具体的には、同図のウィンドウＷ２で項目として、「台形補正」「アスペクト比」「全画面表示」「投影方法」「スタート画面」「無信号時画面」「画像ミュート（色）」及び「画像ミュート（範囲）」の項目毎にそれぞれの設定内容を選択可能に示すもので、ここでは項目「画像ミュート（色）」を選択し、その設定内容として「黒」を選択している状態を例示する。
【００４７】
因みに、項目「画像ミュート（色）」では「黒」「グレー」「白」のいずれか１つが選択可能となる。
「黒」は画像ミュートを行なう範囲を全く光が投射されない影の状態とするものである。「グレー」は、画像ミュートを行なう範囲を色成分を含まない無彩色の中間階調で照射するもので、例えば全く明かりのない暗室の環境でこのデータプロジェクタ装置１０を使用する場合に、書込みを行なう範囲をあまり明る過ぎない程度に照射するのに適している。
【００４８】
また「白」は、画像ミュートを行なう範囲を色成分を含まない無彩色のフル階調で照射するもので、例えば薄暗い環境でこのデータプロジェクタ装置１０を使用する場合に、書込みを行なう範囲をはっきりと明るく照射するのに適している。
【００４９】
さらに上記項目「画像ミュート（範囲）」では、「全画面」「上半分」「下半分」「左半分」「右半分」「上１／４」「下１／４」「左１／４」「右１／４」「左上１／４」「右上１／４」「左下１／４」及び「右下１／４」のいずれか１つを画像ミュートでマスクする範囲として選択可能となる。
【００５０】
加えて同投影画面では、最下行位置のウィンドウＷ３において、カーソルキーの上下左右各キーと「Ｅｎｔ」キーの操作により各項目及びその内容を選択可能であり、また再度の「Ｍｅｎｕ」キーの操作によりこのメニュー画面の状態を終了することをガイド表示している。
【００５１】
上記画像ミュートの設定に基づいた内容は全てプログラムメモリ２９に記憶され、このデータプロジェクタ装置１０の電源を切断した後も記憶内容が保持されるものとする。
【００５２】
上記ステップＳ１０７で「画像ミュート」が選択されたと判断すると、その選択にしたがって上記図３に示した如く画像ミュートの色と範囲とを設定する処理に移行する（ステップＳ１０８）。
【００５３】
そして、適宜画像ミュートを行なう場合の色と範囲とを任意に選択して設定するもので、これらの設定に係る処理を行ないながら、一方で当該設定を終了したか否かを判断することで、設定処理を終了するのを待機する（ステップＳ１０９）。
【００５４】
画像ミュートの設定処理を終了するべく操作部３０の「Ｍｅｎｕ」キーが操作されると、上記ステップＳ１０９でそれを判断し、あらためて設定された画像ミュートの範囲が「全画面」かそれ以外かを判断する（ステップＳ１１０）。
【００５５】
ここで設定された画像ミュートの範囲が「全画面」であると判断した場合には、設定された色で投影画像全面を画像ミュートするように設定し（ステップＳ１１１）、その設定状態で上記ステップＳ１０１からの処理に戻る。
【００５６】
図４（Ａ）はこのときの画像ミュート状態を示すもので、本来の入力される画像信号に関係なく、投影画面全面が上記設定された色に基づいてマスクされる。
【００５７】
このとき、設定された色が「黒」であって、スクリーンであるホワイトボードＷＢに一切の光が照射されない状態であっても、光源ランプ１８での点灯による発光は継続されており、ミラー２１を介してマイクロミラー素子１６に照射される光は全て光学レンズユニット２２への投光軸以外に反射される。
【００５８】
また、上記ステップＳ１１０で設定された画像ミュートの範囲が「全画面」以外であると判断した場合には、設定されている色と範囲とに従って投影画像を部分的に画像ミュートし（ステップＳ１１２）、その状態で上記ステップＳ１０１からの処理に戻る。
【００５９】
図４（Ｂ）、図４（Ｃ）、図５（Ａ）、及び図５（Ｂ）はいずれも部分的な範囲を設定した場合の画像ミュートの状態を例示するものである。すなわち、図４（Ｂ）は、画面の上半分をマスクする画像ミュートの状態を、図４（Ｃ）は画面の左半分をマスクする画像ミュートの状態を、図５（Ａ）は画面の下１／４をマスクする画像ミュートの状態を、図５（Ｂ）は画面の右上１／４をマスクする画像ミュートの状態をそれぞれ示す。
【００６０】
このように部分的な画像ミュートを設定した場合、投影画像処理部１４はＣＰＵ２７の制御の下に、マイクロミラー素子１６で元の入力された画像信号に基づく画像中、マスク部分については設定された一様な色となるような画像を優先して表示させることで、図示したような画像の投影を実行させる。
【００６１】
このような投影画像の画像ミュート状態を解除するためには、操作部３０の画像ミュートキーを操作する。
【００６２】
すなわち、上記ステップＳ１０１〜Ｓ１０３の処理を繰返し実行している状態で画像ミュートキーが操作された場合、ステップＳ１０３でそれを判断して、次にその時点で画像ミュートを実行中であるか否かを判断する（ステップＳ１１３）。
【００６３】
ここで画像ミュートを実行中であると判断した場合には、直ちに画像ミュートの状態を解除し、入力される画像信号に基づいて画面全体で投影を行なう通常の状態に復帰し（ステップＳ１１４）、その後に上記ステップＳ１０１からの処理に戻る。
【００６４】
また、上記ステップＳ１１３で画像ミュートを実行していない状態で操作部３０の画像ミュートキーが操作されたと判断した場合には、新たに画像ミュートの状態に移行するべく、事前になされている筈の画像ミュートの設定をプログラムメモリ２９から読出し（ステップＳ１１５）、読出した内容に基づいてあらためて設定されている色と範囲とに従って投影画像を画像ミュートし（ステップＳ１１６）、その状態で上記ステップＳ１０１からの処理に戻る。
【００６５】
以上に述べた如く本実施形態によれば、投影画像の範囲に比してスクリーンとなるホワイトボードＷＢの範囲が充分ではない場合でも、画像中の主要な部分の投影を維持しながら、同時に書込み等に適した範囲も確保することが可能となる。
【００６６】
また、上記実施形態では、投影画像の範囲に対する予め複数容易された範囲の中から１つを指定することで、当該指定範囲に対する部分的な画像ミュートを実行するものとしたので、その時点でユーザが任意の範囲を指定する、という簡易な選択操作を行なうのみで、投影している画像の内容に応じて主要な部分の投影を阻害することなく、書込み等に適した範囲も確保することが可能となる。
【００６７】
さらに、上記実施形態では、画像ミュートを行なう場合にその範囲だけではなく色をも選択することが可能とした。これにより、例えば完全な暗室内の投影であるのか、薄暗い環境下での投影であるのか、または明るい環境下での投影であるのかなど、投影環境に応じて書込み等に適した画像ミュート部分の色を設定することができる。
【００６８】
（第２の実施の形態）
以下本発明をＤＬＰ（登録商標）方式のデータプロジェクタ装置に適用した場合の第２の実施形態について図面を参照して説明する。
【００６９】
なお、本実施形態に係るデータプロジェクタ装置１０の概略機能構成については上記図１に示したものと基本的に同様であるため、同一部分には同一符号を用いるものとしてその図示と説明とを省略する。
【００７０】
次に上記実施形態の動作について説明する。
図６は、主として投影動作時に平行して実施される画像ミュートの設定と実行とに係る処理内容について示したものであり、その処理に対する制御はすべてＣＰＵ２７がプログラムメモリ２９に記憶された動作プログラムを読出してメインメモリ２８に展開しながら実行する。
【００７１】
動作当初には、入力コネクタ部１１を介して入力される画像信号に応じてマイクロミラー素子１６で対応する光像を形成し、光学レンズユニット２２より図示しないスクリーンに向けて投影を行なう投影処理を実行する（ステップＳ２０１）。
【００７２】
それと共に操作部３０より「Ｍｅｎｕ」キーが操作されたか否か（ステップＳ２０２）、画像ミュートキーが操作されたか否かを続けて判断する（ステップＳ２０３）。
【００７３】
そして、それらのキー操作がなければ上記ステップＳ２０１に戻る、という処理を繰返し実行することで、入力画像に対応した投影動作を実行しながら、メニューキーか、画像ミュートキーが操作されるのを待機する。
【００７４】
「Ｍｅｎｕ」キーが操作された場合、上記ステップＳ２０２でそれを判断すると、その操作に応じて、それまでの入力される画像信号に応じた投影を一時的に停止し、代わってメインメニューを投影させるか、もしくは投影を継続しながら当画面の一部にメインメニューを重ね合わせて投影すると共に（ステップＳ２０４）、メインメニュー中のサブメニューとして「画面設定」が選択されるのを待機する（ステップＳ２０５）。
【００７５】
そして、サブメニューの「画面設定」が選択されるとそれを上記ステップＳ２０５で判断し、画面設定の項目を一覧投影する共に（ステップＳ２０６）、項目として「画像ミュート」が選択されるのを待機する（ステップＳ２０７）。
【００７６】
図７は、このときスクリーンとしてのホワイトボードＷＢ上に投影される、サブメニュー「画像設定」下の項目中で画像ミュートを選択している投影画面を例示する図である。
同図中、左上のウィンドウＷ１では、サブメニューとして「映像調整」「画面設定」「入力設定」「機器設定１」「機器設定２」「拡張設定」「情報」「全初期化」を列挙すると共に、その時点で「画面設定」が選択されていることを反転表示により示している。
【００７７】
これと対応して、残る画面の大部分をウィンドウＷ２として使用し、サブメニュー「画面設定」の内容を構成する全項目を一覧投影する。
具体的には、同図のウィンドウＷ２で項目として、「台形補正」「アスペクト比」「全画面表示」「投影方法」「スタート画面」「無信号時画面」「画像ミュート（色）」「画像ミュート（範囲）」及び「画像ミュート（変化）」の項目毎にそれぞれの設定内容を選択可能に示すもので、ここでは項目「画像ミュート（変化）」を選択し、その設定内容として「移動」を選択している状態を例示する。
【００７８】
因みに、項目「画像ミュート（変化）」では「なし」「移動」「拡大／縮小（拡／縮）」のいずれか１つが選択可能となる。
「なし」は、所定のキー操作、例えば画像ミュートキーの長押し操作に対応して画像ミュートを行なう範囲を全く変化させない。「移動」は、所定のキー操作に対応して画像ミュートを行なう範囲を順次移動させる。
【００７９】
また「拡大／縮小」は、所定のキー操作に対応して画像ミュートを行なう範囲を順次拡大させ、該範囲が画面全面となった場合には一転して順次縮小させる。
【００８０】
加えて同投影画面では、最下行位置のウィンドウＷ３において、カーソルキーの上下左右の各キーと「Ｅｎｔ」キーの操作により各項目及びその内容を選択可能であり、また再度の「Ｍｅｎｕ」キーの操作によりこのメニュー画面の状態を終了することをガイド表示している。
【００８１】
上記画像ミュートの設定に基づいた内容は全てプログラムメモリ２９に記憶され、このデータプロジェクタ装置１０の電源を切断した後も記憶内容が保持されるものとする。
【００８２】
上記ステップＳ２０７で「画像ミュート」が選択されたと判断すると、その選択にしたがって上記図７に示した如く画像ミュートの色、範囲と変化を設定する処理に移行する（ステップＳ２０８）。
【００８３】
そして、適宜画像ミュートを行なう場合の色、範囲と変化を任意に選択して設定するもので、これらの設定に係る処理を行ないながら、一方で当該設定を終了したか否かを判断することで、設定処理を終了するのを待機する（ステップＳ２０９）。
【００８４】
画像ミュートの設定処理を終了するべく操作部３０の「Ｍｅｎｕ」キーが操作されると、上記ステップＳ２０９でそれを判断し、あらためて設定された画像ミュートの範囲が「全画面」かそれ以外かを判断する（ステップＳ２１０）。
【００８５】
ここで設定された画像ミュートの範囲が「全画面」であると判断した場合には、設定された色で投影画像全面を画像ミュートするように設定し（ステップＳ２１１）、その設定状態で上記ステップＳ２０１からの処理に戻る。
【００８６】
図４（Ａ）はこのときの画像ミュート状態を示すもので、本来の入力される画像信号に関係なく、投影画面全面が上記設定された色に基づいてマスクされる。
【００８７】
このとき、設定された色が「黒」であって、スクリーンであるホワイトボードＷＢに一切の光が照射されない状態であっても、光源ランプ１８での点灯による発光は継続されており、ミラー２１を介してマイクロミラー素子１６に照射される光は全て光学レンズユニット２２への投光軸以外に反射される。
【００８８】
また、上記ステップＳ２１０で設定された画像ミュートの範囲が「全画面」以外であると判断した場合には、設定されている色と範囲とに従って投影画像を部分的に画像ミュートし（ステップＳ２１２）、その状態で上記ステップＳ２０１からの処理に戻る。
【００８９】
図４（Ｂ）、図４（Ｃ）、図５（Ａ）、及び図５（Ｂ）はいずれも部分的な範囲を設定した場合の画像ミュートの状態を例示するものである。すなわち、図４（Ｂ）は、画面の上半分をマスクする画像ミュートの状態を、図４（Ｃ）は画面の左半分をマスクする画像ミュートの状態を、図５（Ａ）は画面の下１／４をマスクする画像ミュートの状態を、図５（Ｂ）は画面の右上１／４をマスクする画像ミュートの状態をそれぞれ示す。
【００９０】
このように部分的な画像ミュートを設定した場合、投影画像処理部１４はＣＰＵ２７の制御の下に、元の入力された画像信号に基づく画像中、マスク部分については設定された一様な色となるような画像を優先してマイクロミラー素子１６で表示させることで、図示したような画像の投影を実行させる。
【００９１】
このような投影画像の画像ミュート状態を解除するためには、操作部３０の画像ミュートキーを操作する。
【００９２】
すなわち、上記ステップＳ２０１〜Ｓ２０３の処理を繰返し実行している状態で画像ミュートキーが操作された場合、ステップＳ２０３でそれを判断して、次にその時点で画像ミュートを実行中であるか否かを判断する（ステップＳ２１３）。
【００９３】
ここで画像ミュートを実行中であると判断した場合には、次いで画像ミュートのキー操作が長押し操作であるか否かを、キーが操作され始めてから解除されるまでの時間が所定時間、例えば１．０［秒］以上であるか否かに応じて判断する（ステップＳ２１４）。
【００９４】
画像ミュートキーが長押し操作ではないと判断した場合には、直ちに画像ミュートの状態を解除し、入力される画像信号に基づいて画面全体で投影を行なう通常の状態に復帰し（ステップＳ２１６）、その後に上記ステップＳ２０１からの処理に戻る。
【００９５】
また、上記ステップＳ２１４で画像ミュートキーが長押し操作されたと判断した場合には、その時点で設定されている画像ミュートの変化内容と画像ミュートキーの操作時間とに応じて、画像ミュートの範囲を変化させる（ステップＳ２１５）。
【００９６】
図８は、画像ミュートの変化として「移動」が設定されている状態で画像ミュートキーが長押し操作された場合の、投影画像の遷移を例示する図である。
例えば、図８（Ａ）に示すように画面の左上１／４がマスクされた画像ミュートの状態から画像ミュートキーが長押し操作された場合、その操作時間が１．０［秒］経過する毎に図８（Ｂ）に示す画面の右上１／４がマスクされた状態、図８（Ｃ）の画面の左下１／４がマスクされた状態、そして図８（Ｄ）に示す画面の右下１／４がマスクされた状態へと遷移する。
【００９７】
上記図８（Ｄ）に示す画像ミュートの状態からさらに画像ミュートキーが長押し操作された場合には、再び上記図８（Ａ）に示すように画面の左上１／４がマスクされた状態へと遷移するように、マスクの位置を循環的に移動するものとして制御することで、画像ミュートキーを必要以上に長押しし過ぎて、所望のマスク位置より先に移動してしまった場合でも、さらに長押し操作を維持することで、ユーザインターフェイス上も理解し易い形で、確実に所望のマスク位置まで移動させることができる。
【００９８】
また、上記ステップＳ２１３で画像ミュートを実行していない状態で操作部３０の画像ミュートキーが操作されたと判断した場合には、新たに画像ミュートの状態に移行するべく、事前になされている筈の画像ミュートの設定をプログラムメモリ２９から読出し（ステップＳ２１７）、読出した内容に基づいてあらためて設定されている色と範囲に従って投影画像を画像ミュートし（ステップＳ２１８）、その状態で上記ステップＳ２０１からの処理に戻る。
【００９９】
以上に述べた如く本実施形態によれば、上記第１の実施形態と同様に、画像中の主要な部分の投影を維持しながら、同時に書込みに適した範囲も確保することが可能となる。
【０１００】
加えて上記実施形態では、所定の操作を行なう毎に投影画像中で画像ミュートを行なう範囲を順次移動するものとした。これにより、投影動作中に画像内の確認したい部分と書込みを行ないたい部分を必要に応じて簡易な操作で切り換えることができる。
【０１０１】
なお、上記第１及び第２の実施形態ではいずれも、画像ミュートを行なう範囲に関して、予め用意されたパターンの中から１つを選択するものとして説明したが、本発明はこれに限らず、例えばデータプロジェクタ装置１０に投影画像を撮影する撮像機能を設け、投影画像中の任意範囲を例えばレーザポインタを用いてポイント指示することで、その指定された範囲を認識して、認識結果である範囲内を画像ミュートを行なう範囲として設定するものとしてもよい。
【０１０２】
その場合、投影画像中のレーザポインタによる位置指定は、矩形範囲の少なくとも１組の対角位置をレーザポインタによりそれぞれ一定時間、例えば０．５［秒］以上ポイント指示することで、実現できる。
【０１０３】
また、このデータプロジェクタ装置１０の操作部３０を構成するリモートコントローラにレーザポインタの指示機能が搭載されている場合、すなわち、リモートコントローラでレーザポインタ機能をオン設定してカーソルキーで上下左右ポインタの位置を指定することにより、データプロジェクタ装置１０側で投影画像中にあたかもレーザポインタによるポイント位置であるかのような輝度の高いポイント画像を元の画像に重畳して投影するような機能が搭載されている場合には、上述したような撮像機能を有さずとも投影画像中の範囲指定を行なうことが可能となるので、より一層実現が容易となる。
【０１０４】
図９は、上記したように投影画像中の任意の矩形範囲指定を行なう場合を例示したものである。図９（Ａ）は、ポインタＰＴにより画像中の１点Ｐ１を指定した後、矩形の対角位置となる点Ｐ２を指定しようとしている状態を示す。
【０１０５】
同図（Ａ）に示す如く点Ｐ２の位置にポインタＰＴを移動して指定を行なうことで範囲指定が完了したこととなり、図９（２）に示す如く当該矩形範囲が画像ミュートされる。
【０１０６】
図９（Ｂ）に示した画像ミュートの状態で、例えば「画像ミュート（変化）」の項目で「拡大／縮小」が選択されていた場合、所定のキー操作、例えば画像ミュートキーが長押し操作された場合には、当該矩形範囲の中心点を基準として、その当初は画像ミュートの範囲を順次段階的に拡大する。
【０１０７】
しかして、画像ミュートの範囲が画面全体に及んだ時点でまだミュートキーが長押し操作されていた場合には、一転して画像ミュートの範囲を当該矩形範囲の中心点を基準として順次段階的に縮小する。
【０１０８】
そして、画像ミュートの範囲が予め設定した最小範囲に及んだ時点でまだミュートキーが長押し操作されていた場合に、再び一転して画像ミュートの範囲を順次段階的に拡大する。
【０１０９】
このように画像ミュートを行なう範囲をユーザ自身が任意に位置指定することにより、その時点で投影されている画像の内容を阻害することなく、書込み等に適した範囲も確保することが可能となる。
【０１１０】
加えて、所定の操作を行なう毎に投影画像中で画像ミュートを行なう範囲を順次拡大または縮小するものとした。これにより、投影動作中に画像内の確認したい部分と書込みを行ないたい部分を必要に応じて簡易な操作で変更することができる。
【０１１１】
さらに、画像ミュートを行なう範囲の移動に関しては、例えば画面の左上から右下とが連結されているものとして、移動を循環的に制御するものとした。同様に、画像ミュートを行なう範囲を拡大している際に画面全体に及んだ場合には次に縮小するように、縮小している際に最小範囲となった場合は次に拡大するように制御するものとした。
【０１１２】
このように、画像ミュートの範囲の変化を循環的に制御することで、ユーザの意図する画像ミュート位置より先に変化してしまった場合でも、さらに長押し操作を維持することで、ユーザインターフェイス上も理解し易い形で、確実に所望の位置を実現できる。
【０１１３】
なお、上記第１及び第２の実施形態はいずれも、ＤＬＰ（登録商標）方式のデータプロジェクタ装置に適用した場合について説明したものであるが、本発明は光像を形成する素子等を限定するものではなく、マイクロミラー素子１６に代えて透過型のカラー液晶パネルを用いる液晶プロジェクタや、光源となるＲＧＢの各ＬＥＤ群が色成分に合わせて時分割で発光することにより、モノクロの液晶パネルでカラーの光像を形成して投影するフィールド・シーケンシャル方式のプロジェクタ装置など、その他の投影装置にも同様に適用可能となる。
【０１１４】
その他、本発明は上述した実施形態に限定されるものではなく、実施段階ではその要旨を逸脱しない範囲で種々に変形することが可能である。また、上述した実施形態で実行される機能は可能な限り適宜組み合わせて実施しても良い。上述した実施形態には種々の段階が含まれており、開示される複数の構成要件による適宜の組み合せにより種々の発明が抽出され得る。例えば、実施形態に示される全構成要件からいくつかの構成要件が削除されても、効果が得られるのであれば、この構成要件が削除された構成が発明として抽出され得る。
【符号の説明】
【０１１５】
１０…データプロジェクタ装置、１１…入力コネクタ部、１２…入力インタフェース（Ｉ／Ｆ）、１３…画像変換部、１４…投影画像処理部、１５…ビデオＲＡＭ、１６…マイクロミラー素子（ＳＯＭ）、１７…リフレクタ、１８…光源ランプ、１９…カラーホイール、２０…インテグレータ、２１…ミラー、２２…光学レンズユニット、２３…ステッピングモータ（Ｍ）、２４…モータ（Ｍ）、２５…投影光処理部、２６…温度センサ、２７…ＣＰＵ、２８…メインメモリ、２９…プログラムメモリ、３０…操作部、３１…ＵＳＢインタフェース（Ｉ／Ｆ）、３２…画像記憶部、３３…音声処理部、３４…ＵＳＢ端子、３５…ＵＳＢメモリ、３６…スピーカ部、ＳＢ…システムバス、ＷＢ…ホワイトボード。
【図１】
2011160430.tif 000003
【図２】
2011160430.tif 000004
【図３】
2011160430.tif 000005
【図４】
2011160430.tif 000006
【図５】
2011160430.tif 000007
【図６】
2011160430.tif 000008
【図７】
2011160430.tif 000009
【図８】
2011160430.tif 000010
【図９】
2011160430.tif 000011
【手続補正書】
【提出日】平成23年3月3日(2011.3.3)
【手続補正１】
【補正対象書類名】明細書
【補正対象項目名】０００９
【補正方法】変更
【補正の内容】
【０００９】
請求項１記載の発明は、入力される画像信号に対応した光像を形成し、形成した光像を対象に向けて投影する投影手段と、上記投影手段で投影する光像中の矩形範囲を、少なくとも一組の上記矩形範囲の対角位置を指示することで指定する指定手段と、上記指定手段で指定した範囲に従い、上記投影手段が投影する光像の範囲を制限させる投影制御手段と、を具備したことを特徴とする。
【手続補正２】
【補正対象書類名】明細書
【補正対象項目名】００１０
【補正方法】削除
【補正の内容】
【手続補正３】
【補正対象書類名】明細書
【補正対象項目名】００１１
【補正方法】変更
【補正の内容】
【００１１】
請求項２記載の発明は、上記請求項１記載の発明において、上記指定手段は、上記投影手段で投影する光像中の上記矩形範囲をカーソルキーの操作による上下左右ポインタの位置で指定することを特徴とする。
【手続補正４】
【補正対象書類名】明細書
【補正対象項目名】００１２
【補正方法】変更
【補正の内容】
【００１２】
請求項３記載の発明は、上記請求項１記載の発明において、上記投影装置はさらに上記光像を撮影する撮影手段を備え、上記指定手段は、上記少なくとも一組の対角位置をレーザポインタでポイント指示することで上記矩形範囲を指定し、上記撮影手段は、上記レーザポインタでポイント支持された上記少なくとも一組の対角位置を認識し、上記投影制御手段は、上記撮影手段によって認識された上記少なくとも一組の対角位置に基づいて得られる上記矩形範囲に従って、上記投影手段が投影する光像の範囲を制限させることを特徴とする。
【手続補正５】
【補正対象書類名】明細書
【補正対象項目名】００１３
【補正方法】変更
【補正の内容】
【００１３】
請求項４記載の発明は、上記請求項３記載の発明において、上記指定手段は、上記矩形範囲の少なくとも１組の対角位置をそれぞれレーザポインタで所定時間ずつ指示することで上記矩形範囲を指定することを特徴とする。
【手続補正６】
【補正対象書類名】明細書
【補正対象項目名】００１４
【補正方法】変更
【補正の内容】
【００１４】
請求項５記載の発明は、請求項１乃至４の何れかに記載の発明において、上記指定手段で指定した範囲に対応する投影色を選択する選択手段をさらに具備し、上記投影制御手段は、上記光像中で制限した範囲を上記選択手段で選択した投影色で投影させることを特徴とする。
【手続補正７】
【補正対象書類名】明細書
【補正対象項目名】００１５
【補正方法】変更
【補正の内容】
【００１５】
請求項６記載の発明は、請求項１乃至５のいずれかに記載の発明において、上記指定手段は、所定の操作毎に光像中の指定する範囲を拡大することを特徴とする。
【手続補正８】
【補正対象書類名】明細書
【補正対象項目名】００１６
【補正方法】変更
【補正の内容】
【００１６】
請求項７記載の発明は、請求項１乃至５のいずれかに記載の発明において、上記指定手段は、所定の操作毎に光像中の指定する範囲を縮小することを特徴とする。
【手続補正９】
【補正対象書類名】明細書
【補正対象項目名】００１７
【補正方法】変更
【補正の内容】
【００１７】
請求項８記載の発明は、入力される画像信号に対応した光像を形成し、形成した光像を対象に向けて投影する投影部を備えた装置での投影方法であって、上記投影部で投影する光像中の矩形範囲を、少なくとも一組の上記矩形範囲の対角位置を指示することで指定する指定工程と、上記指定工程で指定した範囲に従い、上記投影部が投影する光像の範囲を制限させる投影制御工程と、を有したことを特徴とする。
【手続補正１０】
【補正対象書類名】明細書
【補正対象項目名】００１８
【補正方法】変更
【補正の内容】
【００１８】
請求項９記載の発明は、入力される画像信号に対応した光像を形成し、形成した光像を対象に向けて投影する投影部を備えた装置が内蔵するコンピュータが実行するプログラムであって、上記投影部で投影する光像中の矩形範囲を、少なくとも一組の上記矩形範囲の対角位置を指示することで指定する指定ステップと、上記指定ステップで指定した範囲に従い、上記投影部が投影する光像の範囲を制限させる投影制御ステップと、をコンピュータに実行させることを特徴とするものである。
【手続補正１１】
【補正対象書類名】特許請求の範囲
【補正対象項目名】全文
【補正方法】変更
【補正の内容】
【特許請求の範囲】
【請求項１】
入力される画像信号に対応した光像を形成し、形成した光像を対象に向けて投影する投影手段と、
上記投影手段で投影する光像中の矩形範囲を、少なくとも一組の上記矩形範囲の対角位置を指示することで指定する指定手段と、
上記指定手段で指定した範囲に従い、上記投影手段が投影する光像の範囲を制限させる投影制御手段と、
を具備したことを特徴とする投影装置。
【請求項２】
上記指定手段は、上記投影手段で投影する光像中の上記矩形範囲をカーソルキーの操作による上下左右ポインタの位置で指定することを特徴とする請求項１記載の投影装置。
【請求項３】
上記投影装置はさらに上記光像を撮影する撮影手段を備え、
上記指定手段は、上記少なくとも一組の対角位置をレーザポインタでポイント指示することで上記矩形範囲を指定し、
上記撮影手段は、上記レーザポインタでポイント支持された上記少なくとも一組の対角位置を認識し、
上記投影制御手段は、上記撮影手段によって認識された上記少なくとも一組の対角位置に基づいて得られる上記矩形範囲に従って、上記投影手段が投影する光像の範囲を制限させることを特徴とした請求項１に記載の投影装置。
【請求項４】
上記指定手段は、上記矩形範囲の少なくとも１組の対角位置をそれぞれレーザポインタで所定時間ずつ指示することで上記矩形範囲を指定することを特徴とする請求項３に記載の投影装置。
【請求項５】
上記指定手段で指定した範囲に対応する投影色を選択する選択手段をさらに具備し、
上記投影制御手段は、上記光像中で制限した範囲を上記選択手段で選択した投影色で投影させることを特徴とする請求項１乃至４の何れかに記載の投影装置。
【請求項６】
上記指定手段は、所定の操作毎に光像中の指定する範囲を拡大することを特徴とする請求項１乃至５のいずれかに記載の投影装置。
【請求項７】
上記指定手段は、所定の操作毎に光像中の指定する範囲を縮小することを特徴とする請求項１乃至５のいずれかに記載の投影装置。
【請求項８】
入力される画像信号に対応した光像を形成し、形成した光像を対象に向けて投影する投影部を備えた装置での投影方法であって、
上記投影部で投影する光像中の矩形範囲を、少なくとも一組の上記矩形範囲の対角位置を指示することで指定する指定工程と、
上記指定工程で指定した範囲に従い、上記投影部が投影する光像の範囲を制限させる投影制御工程と、
を有したことを特徴とする投影方法。
【請求項９】
入力される画像信号に対応した光像を形成し、形成した光像を対象に向けて投影する投影部を備えた装置が内蔵するコンピュータが実行するプログラムであって、
上記投影部で投影する光像中の矩形範囲を、少なくとも一組の上記矩形範囲の対角位置を指示することで指定する指定ステップと、
上記指定ステップで指定した範囲に従い、上記投影部が投影する光像の範囲を制限させる投影制御ステップと、
をコンピュータに実行させることを特徴とするプログラム。